(57)【特許請求の範囲】
【請求項１】
レンズ装置が着脱可能であり、一度の撮影指示で撮影条件を変化させながら複数の画像を生成する撮像装置であって、
前記撮像装置は、一度の撮影指示で画像処理条件を変化させて複数の画像を生成し、
前記レンズ装置の特性を示す情報を取得する取得手段と、
該取得手段により取得された前記情報に基づいて、前記撮影条件の変化量を設定する変化量設定手段と、
前記情報に基づいて、前記画像処理条件を設定する画像処理条件設定手段と、を有することを特徴とする撮像装置。
【請求項２】
前記撮影条件はシャッター速度であり、
前記変化量設定手段は、前記レンズ装置が望遠レンズである場合の前記変化量を、前記レンズ装置が広角レンズである場合の前記変化量よりも小さく設定することを特徴とする請求項１に記載の撮像装置。
【請求項３】
前記撮影条件はフォーカス位置であり、
前記変化量設定手段は、前記レンズ装置がマクロレンズである場合の前記変化量を、前
記レンズ装置が広角レンズである場合の前記変化量よりも小さく設定することを特徴とする請求項１に記載の撮像装置。
【請求項４】
前記撮影条件は露出であり、
前記変化量設定手段は、前記レンズ装置がマクロレンズである場合の前記変化量を、前記レンズ装置が前記マクロレンズでない場合の前記変化量よりも大きく設定することを特徴とする請求項１に記載の撮像装置。
【請求項５】
前記撮影条件は絞り値であり、
前記変化量設定手段は、前記レンズ装置がマクロレンズである場合の前記変化量を、前記レンズ装置が広角レンズである場合の前記変化量よりも小さく設定することを特徴とする請求項１に記載の撮像装置。
【請求項６】
前記画像処理条件設定手段は、前記レンズ装置があおりレンズである場合、歪効果以外の効果を与えるフィルタを設定することを特徴とする請求項１乃至５のうちいずれか１項に記載の撮像装置。
【請求項７】
前記画像処理条件設定手段は、前記レンズ装置が魚眼レンズである場合、画像の中心を含む範囲を切り出す設定を行うことを特徴とする請求項１乃至５のうちいずれか１項に記載の撮像装置。
【請求項８】
前記画像処理条件設定手段は、前記レンズ装置が広角レンズである場合、ジオラマ効果を与えるフィルタを設定することを特徴とする請求項１乃至５のうちいずれか１項に記載の撮像装置。
【請求項９】
撮影シーンを解析する解析手段と、
前記解析手段による解析結果に基づいて、前記撮影条件を設定する撮影条件設定手段と、を有することを特徴とする請求項１乃至５のうちいずれか１項に記載の撮像装置。
【請求項１０】
レンズ装置が着脱可能であり、一度の撮影指示で撮影条件を変化させながら複数の画像を生成する撮像装置であって、
前記撮像装置は、一度の撮影指示で画像処理条件を変化させて複数の画像を生成し、
前記レンズ装置の特性を示す情報を取得する取得手段と、
該取得手段により取得された前記情報に基づいて、前記撮影条件を設定する撮影条件設定手段と、
前記情報に基づいて、前記画像処理条件を設定する画像処理条件設定手段と、を有することを特徴とする撮像装置。
【請求項１１】
前記撮影条件設定手段は、前記レンズ装置がズームレンズである場合、前記撮影条件にズーム位置を設定することを特徴とする請求項１０に記載の撮像装置。
【請求項１２】
前記情報は、前記レンズ装置の識別情報であることを特徴とする請求項１乃至１１のうちいずれか１項に記載の撮像装置。
【請求項１３】
前記情報は、前記レンズ装置の機能に関する情報であることを特徴とする請求項１乃至１１のうちいずれか１項に記載の撮像装置。
【請求項１４】
前記情報は、前記レンズ装置の種類に関する情報であることを特徴とする請求項１乃至１１のうちいずれか１項に記載の撮像装置。
【請求項１５】
前記画像処理条件は、画像の全体あるいは一部に対する色相や彩度、明度の少なくともいずれかの効果であることを特徴とする請求項１または１０に記載の撮像装置。
【請求項１６】
前記画像処理条件は、画像の全体あるいは一部に対するぼかし効果であることを特徴とする請求項１または１０に記載の撮像装置。
【請求項１７】
前記画像処理条件は、画像の全体あるいは一部に対する歪効果であることを特徴とする請求項１または１０に記載の撮像装置。
【請求項１８】
前記画像処理条件は、画像の切り出しであることを特徴とする請求項１または１０に記載の撮像装置。
【請求項１９】
前記撮像装置は、一度の撮影指示で前記画像処理条件を変化させて生成された複数の画像と、該複数の画像に対応する、前記画像処理条件を変化させない複数の画像と、を記憶する記憶手段を有することを特徴とする請求項１乃至１８のうちいずれか１項に記載の撮像装置。
【請求項２０】
請求項１乃至１９のうちいずれか１項に記載の撮像装置と、
該撮像装置に着脱可能なレンズ装置と、を有することを特徴とする撮影システム。
【請求項２１】
レンズ装置が着脱可能な撮像装置において実行され、一度の撮影指示で撮影条件を変化させながら複数の画像を生成する撮像方法であって、
前記撮像装置は、一度の撮影指示で画像処理条件を変化させて複数の画像を生成し、
前記レンズ装置の特性を示す情報を取得するステップと、
該ステップにより取得された前記情報に基づいて、前記撮影条件の変化量を設定するステップと、
前記情報に基づいて、前記画像処理条件を設定するステップと、を有することを特徴とする撮像方法。
【請求項２２】
レンズ装置が着脱可能な撮像装置において実行され、一度の撮影指示で撮影条件を変化させながら複数の画像を生成する撮像方法であって、
前記撮像装置は、一度の撮影指示で画像処理条件を変化させて複数の画像を生成し、
前記レンズ装置の特性を示す情報を取得するステップと、
該ステップにより取得された前記情報に基づいて、前記撮影条件を設定するステップと、
前記情報に基づいて、前記画像処理条件を設定するステップと、を有することを特徴とする撮像方法。
【請求項２３】
請求項２１または２２に記載の撮像方法をコンピュータに実行させるためのプログラム。
【発明の詳細な説明】
【技術分野】
【０００１】
本発明は、撮像装置、撮像方法、撮影システムおよびプログラムに関する。
【背景技術】
【０００２】
一度の撮影指示で撮影条件（撮影パラメータ）や画像処理条件（画像処理または現像パラメータ）を変更して複数の画像を生成する機能を有する撮像装置は知られており、この機能には、所定の画質を維持しつつ意外性のある画像を提供することが求められている。なお、一度の撮影指示で撮影条件を変化させながら複数の画像を生成することは、「ブラケット撮影」としても知られている。
【０００３】
特許文献１は、撮影シーンに応じてブラケット撮影を行い、複数の撮影画像に対して画像処理パラメータを変更した画像処理を施して複数の画像を生成する撮像装置を提案している。特許文献２は、一度の撮影指示でランダムに現像パラメータを変更した複数の画像を生成する際に、現像パラメータの履歴やカメラの状態により現像パラメータの適正を判断し、適さない場合は再度ランダムに現像パラメータを変更する撮像装置を提案している。
【先行技術文献】
【特許文献】
【０００４】
【特許文献１】特開２０１４−１２３８０９号公報
【特許文献２】特開２０１４−１４３４５９号公報
【発明の概要】
【発明が解決しようとする課題】
【０００５】
特許文献１は、撮影レンズの種類を考慮していないため、レンズ交換式カメラシステムに適用された場合に、所定の画質を維持しつつ意外性のある画像を提供できないおそれがある。同様に、特許文献２は、現像パラメータをランダムに設定しているため、所定の画質を維持した状態で意外性のある画像を提供できないおそれがある。
【０００６】
本発明は、一度の撮影指示で所定の画質を維持しつつ意外性のある複数の画像を提供することが可能な撮像装置、撮像方法、撮影システムおよびプログラムを提供することを例示的な目的とする。
【課題を解決するための手段】
【０００７】
本発明の撮像装置は、レンズ装置が着脱可能であり、一度の撮影指示で撮影条件を変化させながら複数の画像を生成する撮像装置であって、前記撮像装置は、一度の撮影指示で画像処理条件を変化させて複数の画像を生成し、前記レンズ装置の特性を示す情報を取得する取得手段と、該取得手段により取得された前記情報に基づいて、前記撮影条件の変化量を設定する変化量設定手段と、前記情報に基づいて、前記画像処理条件を設定する画像処理条件設定手段と、を有することを特徴とする。
【発明の効果】
【０００８】
本発明によれば、一度の撮影指示で所定の画質を維持しつつ意外性のある複数の画像を提供することが可能な撮像装置、撮像方法、撮影システムおよびプログラムを提供することができる。
【図面の簡単な説明】
【０００９】
【図１】本発明の一実施形態の係るカメラシステムの外観斜視図である。
【図２】図１に示すカメラシステムのブロック図である。
【図３】図２に示すデジタルカメラのシステム制御部が実行する撮影方法を説明するためのフローチャートである。
【図４】図３に示すＳ３０１の詳細を説明するためのフローチャートである。
【図５】図４に示すＳ４０３の詳細を説明するためのフローチャートである。
【図６】図３に示すＳ３０３の詳細を説明するためのフローチャートである。
【発明を実施するための形態】
【００１０】
図１は、本発明の一実施形態に係るカメラシステム（撮影システム）の外観斜視図である。カメラシステムは、デジタルカメラ（撮像装置）１００と、レンズ装置（交換レンズ）４００から構成される。デジタルカメラ１００に対してレンズ装置４００は着脱可能に構成されている。本実施形態におけるデジタルカメラ１００は、一眼レフカメラやノンレフレックスカメラ（ミラーレスカメラ）であり、デジタルスチルカメラ、デジタルビデオカメラを含む。但し、本発明の撮像装置は、テレビカメラや携帯電話などであってもよい。
【００１１】
図１に示すデジタルカメラ１００は、表示部２８、各種の操作部７０、記録媒体保持手段、ストロボユニット３００、各種の接続手段を有する。
【００１２】
表示部２８は、画像や各種情報を表示し、ＬＣＤ等から構成される。操作部７０は、ユーザからの各種操作を受け付ける各種スイッチ、ボタン、タッチパネル等の操作手段であって、モードダイヤル６０、シャッターボタン６１、電源スイッチ７２、コントローラホイール７３を含む。
【００１３】
モードダイヤル６０は、各種モードを切り替える。シャッターボタン（レリーズスイッチ）６１は、ユーザによる半押しに応じてＳＷ１信号を後述するシステム制御部５０に送信し、ユーザによる全押しに応じてＳＷ２信号をシステム制御部５０に送信する。電源スイッチ７２は、デジタルカメラ１００の電源のオン、オフを切り替える。コントローラホイール７３は、回転操作可能な操作部材である。
【００１４】
記憶媒体保持手段は、メモリカードやハードディスク等の記録媒体２００を着脱可能に保持し、記録媒体２００が挿入されるスロット２０１と、スロット２０１の蓋２０２を有する。スロット２０１に格納された記録媒体２００は、デジタルカメラ１００との通信が可能となる。図１は、蓋２０２を開けてスロット２０１から記録媒体２００の一部を取り出して露出させた状態を示している。記録媒体２００は、画像や各種の情報を記録できる他、後述する本発明の撮影方法のプログラムを記憶した非一時的なコンピュータ可読記憶媒体としても機能する。
【００１５】
各種の制御手段は、コネクタ１１２を含む。コネクタ１１２にはケーブル１１１が接続され、外部機器（例えば、パーソナルコンピュータ）と通信することができる。
【００１６】
図２は、カメラシステムの構成例を示すブロック図である。
【００１７】
シャッター１０１は、撮像部２２の露出を行う。撮像部２２は、レンズ装置４００の撮影光学系４０２が形成した光学像を電気信号に変換し、ＣＣＤやＣＭＯＳセンサー等で構成される撮像素子を含む。Ａ／Ｄ変換器２３は、撮像部２２から出力されるアナログ信号をデジタル信号に変換する。
【００１８】
画像処理部（画像処理手段）２４は、Ａ／Ｄ変換器２３からのデータ、又は、メモリ制御部１５からのデータに対し所定の画素補間、縮小といったリサイズ処理や色変換処理を行う。また、画像処理部２４は、撮像した画像データを用いて所定の演算処理を行い、得られた演算結果に基づいてシステム制御部５０が露光制御、焦点検出制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４は、撮像した画像データを用いて所定の演算処理を行い、得られた演算結果に基づいてＴＴＬ方式のＡＷＢ（オートホワイトバランス）処理も行う。画像処理部２４は、撮影シーンの解析処理、各種のフィルタ処理、合成処理等の機能も有し、画像処理条件を変更することによって複数の種類の画像処理（「ブラケット画像処理」と呼ぶ場合もある）を行うことができる。システム制御部５０は、画像処理部２４が行うブラケット画像処理において変化させる画像処理条件を設定する画像処理条件設定手段としても機能する。
【００１９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られ、Ａ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。メモリ３２は画像表示用のメモリ（ビデオメモリ）を兼ねている。
【００２０】
Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示する。これによって、電子ビューファインダ（ＥＶＦ）として機能し、スルー画像（ライブビュー画像）表示を行える。記録媒体Ｉ／Ｆ１８は、記録媒体２００とのインターフェースである。
【００２１】
不揮発性メモリ５６は、電気的に消去・記録可能な記録媒体としてのメモリであり、例えばフラッシュＲＯＭやＥＥＰＲＯＭ等から構成される。不揮発性メモリ５６には、システム制御部５０の動作用の定数、後述する各種フローチャートを実行するためのプログラム等が記憶される。
【００２２】
システム制御部５０は、デジタルカメラ１００全体を制御するカメラ制御手段として機能し、マイクロコンピュータから構成される。システム制御部５０は、デジタルカメラ１００の各部を制御するとともにレンズ装置４００を制御する。システム制御部５０は、レンズ用システム制御部４０１と通信を行い、後述するレンズ装置４００の特性を示す情報を含む各種のデータを送受信する。システム制御部５０は、不揮発性メモリ５６に記録されたプログラムを実行することで、後述する各処理を実現する。
【００２３】
システム制御部５０は、ＳＷ１信号に応じて、絞りの駆動量を算出し、絞りを駆動させると共に、位相差ＡＦやコントラストＡＦなどの自動焦点調節（ＡＦ）を行わせる。位相差ＡＦでは、一対の被写体像の像信号の位相差を検出することによって焦点検出を行う。コントラストＡＦでは、撮影光学系によって形成される焦点位置と撮像素子の相対位置を変化させるスキャンを行いながら撮像素子が形成した被写体像のコントラストのピーク位置を検出することによって焦点検出行う。
【００２４】
また、システム制御部５０は、ＳＷ１信号に応じて、ＡＷＢ（オートホワイトバランス）処理、ＥＦ（フラッシュプリ発光）処理等の動作を開始する。システム制御部５０は、ＳＷ２信号に応じて、不図示のシャッター駆動回路を駆動し、撮影光束を撮像部２２に導き、露光（撮影）を行う。また、システム制御部５０は、ＳＷ２信号に応じて、撮像部２２からの信号読み出しから記録媒体２００に画像データを書き込むまでの一連の撮影処理の動作を行う。
【００２５】
システムメモリ５２には、ＲＡＭが用いられ、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御も行う。システムタイマー５３は、各種制御に用いる時間や、内蔵された時計の時間を計測する計時部である。
【００２６】
モードダイヤル６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モードダイヤル６０で、静止画撮影モードに含まれるこれらのモードのいずれかに直接切り替えられる。あるいは、モードダイヤル６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。モードダイヤル６０は、静止画撮影モードにおいて、一度の撮影指示で撮像条件（撮影パラメータ）や画像処理条件（画像処理パラメータ）を変更して複数の画像を自動的に生成するモードを設定する設定手段としても機能する。
【００２７】
一度の撮影指示で撮影条件を変化させながら複数回の撮影を行うことはブラケット撮影と呼ばれ、デジタルカメラ１００はブラケット撮影が可能に構成されている。変更すべき撮影条件としては、シャッター速度（秒時）、フォーカス位置、露出、絞り値などがある。本実施形態のシステム制御部５０は、レンズ装置４００の特性情報に基づいて、撮影条件の変化量を設定する変化量設定手段として機能する。
【００２８】
また、デジタルカメラ１００は、一度の撮影指示で画像処理条件を変化させながら複数の画像を生成するように構成されている。変更すべき画像処理条件としては、画像の全体あるいは一部に対して色相や彩度、明度等を変換したり、画像の全体あるいは一部をぼかしたり、画像の全体あるいは一部を歪ませたりすること等がある。画像処理条件の変更は、これらの効果を有する効果フィルタを使用したり、切り出しを行ったりすることによって実現することができる。例えば、モノクロ効果、シャープネスを強めにする効果、魚眼効果、ジオラマ効果、セピア効果、トイカメラ効果、ソフトフォーカス効果、ホワイトバランスを変更する効果などを与えるフィルタを使用する等である。
【００２９】
通信部５４は、無線または有線ケーブル（例えば、ケーブル１１１）を介して、映像信号や音声信号等の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像した画像（スルー画像を含む）や、記録媒体２００に記録された画像を送信可能であり、また、外部機器から画像データやその他の各種情報を受信することができる。
【００３０】
ストロボユニット３００は、デジタルカメラ１００に着脱可能に構成され、ストロボ用システム制御部３０１と発光部３０４を有する。システム制御部３０１は、例えば、ＣＰＵであり、システム制御部５０からＩ／Ｆ３３を介して入力される指示によって、ストロボユニット３００の各ブロックの動作を制御する。具体的には、システム制御部３０１は、発光量の制御や発光時間、発光照射角の制御等を行う。発光部３０４は、システム制御部３０１が指示した電圧でストロボを発光する。ストロボユニット３００を利用して、撮影条件に調光量を設定してもよい。
【００３１】
レンズ装置４００は、被写体像を形成する撮影光学系４０２を有する。撮影光学系４０２は、ズームレンズ、フォーカスレンズ、絞り、あおりレンズ等を含む。ズームレンズ（変倍レンズ）は、光軸方向に移動されて焦点距離を変更する。フォーカスレンズは、光軸方向に移動されて焦点調節を行う。絞りは、撮像部２２に入射する光量を調節する。あおりレンズは、光軸をずらしたり、傾けたりする。
【００３２】
システム制御部４０１は、マイクロコンピュータから構成されるレンズ制御手段であり、システム制御部５０からＩ／Ｆ３４を介して入力される指示によって、レンズ装置４００の各ブロックを制御する。具体的には、システム制御部４０１は、ズームレンズ、フォーカスレンズ、絞りの駆動制御を行う。
【００３３】
システム制御部５０は、システム制御部４０１から、レンズ装置４００の特性を示す情報（特性情報）を、Ｉ／Ｆ３４を介して取得する取得手段として機能する。レンズ装置４００の特性情報は、例えば、レンズ装置４００の識別情報（ＩＤ情報）、撮影光学系４０２の機能に関する情報、レンズ装置４００の種類に関する情報を含む。撮影光学系４０２の機能に関する情報は、フォーカスレンズや絞りの駆動速度や駆動分解能等の情報を含む。レンズ装置４００の種類としては、標準レンズ、標準レンズよりも画角が狭く焦点距離が長い望遠レンズ、標準レンズよりも画角が広く焦点距離が短い広角レンズ、被写体を１／２から等倍で撮影可能なマクロレンズ、魚眼レンズなどがある。
【００３４】
デジタルカメラ１００では、中央１点ＡＦや顔ＡＦを用いた撮影が可能である。中央１点ＡＦとは、撮影画面内の中央位置１点に対してＡＦを行うことである。顔ＡＦとは顔検出機能によって検出された撮影画面内の顔に対してＡＦを行うことである。
【００３５】
顔検出では、システム制御部５０は、顔検出対象の画像データを画像処理部２４に送り、画像処理部２４は、画像データに水平方向バンドパスフィルタを作用させ、次に、垂直方向バンドパスフィルタを作用させる。これら水平及び垂直方向のバンドパスフィルタにより、画像データよりエッジ成分が検出される。その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば、２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて顔情報を出力する。このとき、顔の数などの特徴量をシステムメモリ５２に記憶する。
【００３６】
以上のようにライブビュー表示あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出、人物検出等の様々な情報がある。
【００３７】
顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００３８】
以下、図３〜図６を参照して、本発明の実施形態のブラケット撮影及びブラケット画像処理について説明する。
【００３９】
図３は、システム制御部５０が実行する撮影方法を示すフローチャートであり、「Ｓ」はステップ（工程）を表す。図３に示すフローチャートは、コンピュータに各ステップの動作を実行させるためのプログラムとして具現化が可能であり、プログラムは非一時的なコンピュータ可読記憶媒体に格納可能である。これは、他のフローチャートについても当てはまる。本撮影方法は、システム制御部５０が不揮発性メモリ５６に格納されたプログラムをシステムメモリ５２に展開して実行することにより実現される。
【００４０】
本撮影方法は、ユーザによるシャッターボタン６１の操作による撮影指示により実施され、一度の撮影指示で複数枚の画像を生成する。
【００４１】
なお、システム制御部５０は、電源スイッチ７２がＯＮにされたときや、レンズ装置４００がデジタルカメラ１００に装着されたときに、システム制御部４０１と通信を行い、レンズ装置４００の特性情報を取得する。この情報は、本撮影方法を実行する前に、予めメモリ３２に格納されているものとする。
【００４２】
まず、Ｓ３００において、システム制御部５０は、画像処理部２４を用いて現在の撮影シーンを解析する。撮影シーンは、例えば、ＥＶＦへの動画の表示中（撮影待機中）に解析される。具体的には、動画から、顔検出による人物検出や主要被写体検出などにより被写体を検出し、次いで、被写体の動きを検出する。また、ライブビュー画像のヒストグラム解析を行い、フォーカススキャンを行う。システム制御部５０は、この結果に基づいて撮影シーンを判定する。なお、本発明はこの撮影シーンの解析方法に限定されるものではない。
【００４３】
次に、Ｓ３０１において、システム制御部５０は、Ｓ３００で得られた撮影シーン解析結果とレンズ装置４００の特性情報から、撮影条件やブラケット量（撮影条件の変化量または変化の振れ幅）を設定する、ブラケット設定を行う。ブラケット設定の詳細については後述する。
【００４４】
次に、Ｓ３０２において、システム制御部５０は、Ｓ３０１で設定したブラケット設定に基づいてブラケット撮影を行う。ブラケット撮影によって得られた複数枚の画像データはメモリ３２に格納される。
【００４５】
次に、Ｓ３０３において、システム制御部５０は、ブラケット撮影によって得られた画像データに対して、レンズ装置４００の特性情報に基づいて設定された画像処理条件を変更しながら複数の種類の画像処理を行うブラケット画像処理を行う。ブラケット画像処理の詳細については後述する。
【００４６】
次に、Ｓ３０４において、システム制御部５０は、Ｓ３０３で生成した各画像データを符号化して記録媒体２００に記録したり、表示部２８に表示したりする。
【００４７】
図４は、Ｓ３０１の詳細を説明するフローチャートである。
【００４８】
まず、Ｓ４００において、システム制御部５０は、メモリ３２に格納されている撮影シーンの解析結果（被写体の動き検出結果）に基づいて動体が検出されたか否かを判定する。システム制御部５０は、動体が検出された場合は、シャッター速度ブラケット撮影を設定し（Ｓ４０１）、動体が検出されなかった場合はＳ４０４に進む。シャッター速度ブラケット撮影では、シャッター速度を変更して複数回撮影し、動体である被写体の動きの表現を変えた複数枚の撮影画像を得ることができ、また、像ブレを回避することもできる。
【００４９】
Ｓ４０４では、システム制御部５０は、撮影シーンの解析結果（ＡＦ処理結果）に基づいて被写体までの距離や被写体から背景までの距離を算出し、算出した距離に差があるか否かを判定する。システム制御部５０は、距離差が閾値よりも大きい場合はフォーカスブラケット撮影を設定し（Ｓ４０５）、距離差が閾値以下の場合はＳ４０６に進む。フォーカスブラケット撮影では、複数の被写体が存在し、かつ、それらの距離が異なる場合に、フォーカス位置を変更して各被写体や背景にピントを合わせた画像を取得する。
【００５０】
Ｓ４０６では、システム制御部５０は、撮影シーンの解析結果（ヒストグラム解析結果）に基づいて輝度のヒストグラム分布から撮影シーンのコントラスト差（明暗差）を算出し、そのコントラスト差が大きいか否かを判定する。システム制御部５０は、コントラスト差が閾値よりも大きい場合は露出ブラケット撮影を設定し（Ｓ４０７）、コントラスト差が閾値以下の場合は絞りブラケット撮影を設定する（Ｓ４０８）。露出ブラケット撮影では、コントラスト差が大きく露出設定が困難な撮影シーンである場合等に、露出（ＥＶ値）を変更して複数回撮影し、被写体の明部や暗部に露出を合わせた複数枚の撮影画像を得る。絞りブラケット撮影では、絞り値を変更して複数回撮影し、背景のぼけ具合を変えた複数枚の撮影画像を得る。
【００５１】
次に、Ｓ４０２では、システム制御部５０は、メモリ３２に格納されているレンズ装置４００の特性情報を読み出す。次に、Ｓ４０３では、システム制御部５０は、Ｓ４０２で読み出した特性情報に応じて、撮影時のブラケット量を設定する。
【００５２】
図５は、Ｓ４０３の詳細を説明するためのフローチャートである。具体的には、図５（ａ）は、Ｓ４０１でシャッター速度ブラケットが設定された場合のフローを示している。図５（ｂ）は、Ｓ４０５でフォーカスブラケットが設定された場合のフローを示している。図５（ｃ）は、Ｓ４０７で露出ブラケットが設定された場合のフローを示している。図５（ｄ）は、Ｓ４０８で絞りブラケットが設定された場合のフローを示している。
【００５３】
図５（ａ）では、まず、Ｓ５０１において、システム制御部５０は、Ｓ４０２で取得したレンズ装置４００の特性情報から、レンズ装置４００が望遠レンズであるかどうかを判定する。レンズ装置４００が望遠レンズである場合、システム制御部５０は、所定の画質を維持するために（像ブレ画像が撮影されることを防止するために）、シャッター速度の変化量を標準の変化量よりも小さく設定し（Ｓ５０２）、望遠レンズでなければＳ５０３に進む。
【００５４】
Ｓ５０３では、システム制御部５０は、レンズ装置４００が広角レンズであるかどうかを判定する。レンズ装置４００が広角レンズである場合は、システム制御部５０は、意外性のある画像を得るために（被写体のぶれ量の変化が分かりやすいように）、シャッター速度の変化量を標準の変化量よりも大きく設定する（Ｓ５０４）。これにより、被写体のぶれ具合を明確に変化させた画像を撮影できる。レンズ装置４００が他のレンズである場合は、シャッター速度の変化量を標準の変化量に設定する（Ｓ５０５）。
【００５５】
従来は、レンズ装置４００の種類に拘らず、シャッター速度の変化量を標準の変化量に固定していた。しかしながら、これでは、望遠レンズや広角レンズが撮像装置に装着された場合に所定の画質が維持されなかったり、意外性のある画像が得られなかったりするおそれがある。そこで、本実施形態は、レンズ装置４００の種類に応じてシャッター速度の変化量を変更し、かかる問題を解決している。具体的には、本実施形態では、撮影条件がシャッター速度である場合、システム制御部５０は、レンズ装置が望遠レンズである場合の撮影条件の変化量を、レンズ装置４００が広角レンズである場合の撮影条件の変化量よりも小さく設定する。
【００５６】
図５（ｂ）では、まず、Ｓ５１１において、システム制御部５０は、レンズ装置４００がマクロレンズであるかどうかを判定する。レンズ装置４００がマクロレンズである場合は、システム制御部５０は、所定の画質を維持するために（被写体を判別できる範囲でぼけるように）、フォーカス位置の変化量を標準の変化量よりも小さく設定し（Ｓ５１２）、マクロレンズでなければＳ５１３に進む。
【００５７】
Ｓ５１３では、システム制御部５０は、レンズ装置４００が広角レンズであるかどうかを判定する。レンズ装置４００が広角レンズである場合は、システム制御部５０は、意外性のある画像を得るために（フォーカス位置を大きく変化させるために）、フォーカス位置の変化量を標準の変化量よりも大きく設定する（Ｓ５１４）。一方、レンズ装置４００が他のレンズである場合は、フォーカス位置の変化量を標準の変化量に設定する（Ｓ５１５）。
【００５８】
従来は、レンズ装置４００の種類に拘らず、焦点距離、被写体距離及び絞り値に応じた変化量が設定されていた。しかしながら、これでは、マクロレンズや広角レンズが装着された場合に所定の画質が維持されなかったり、意外性のある画像が得られなかったりするおそれがある。そこで、本実施形態は、レンズ装置４００の種類に応じてフォーカス位置の変化量を変更することによって、かかる問題を解決している。具体的には、撮影条件がフォーカス位置である場合、システム制御部５０は、レンズ装置４００がマクロレンズである場合の撮影条件の変化量を、レンズ装置４００が広角レンズである場合の撮影条件の変化量よりも小さく設定する。
【００５９】
図５（ｃ）では、まず、Ｓ５２１において、システム制御部５０は、レンズ装置４００がマクロレンズであるかどうかを判定する。レンズ装置４００がマクロレンズである場合は、システム制御部５０は、意外性のある画像を得るために（よりローキー／ハイキーな画像を得るために）、露出の変化量を標準の変化量よりも大きく設定する（Ｓ５２２）。一方、レンズ装置４００がマクロレンズでない場合は、システム制御部５０は、露出の変化量を標準の変化量に設定する（Ｓ５２３）。
【００６０】
従来は、レンズ装置４００の種類に拘らず、露出の変化量を標準の変化量に固定していた。しかしながら、これでは、マクロレンズが装着された場合に、意外性のある画像が得られないおそれがある。そこで、本実施形態は、レンズ装置４００の種類に応じて露出の変化量を変更することによって、かかる問題を解決している。具体的には、撮影条件が露出である場合、システム制御部５０は、レンズ装置４００がマクロレンズである場合の撮影条件の変化量を、レンズ装置４００がマクロレンズでない場合の撮影条件の変化量よりも大きく設定する。
【００６１】
図５（ｄ）では、まず、Ｓ５３１において、システム制御部５０は、レンズ装置４００がマクロレンズであるかどうかを判定する。レンズ装置４００がマクロレンズである場合は、システム制御部５０は、所定の画質を維持するために（被写体周辺のボケ具合が変化する程度に）、絞り値の変化量を標準の変化量よりも小さく設定し（Ｓ５３２）、マクロレンズでなければＳ５３３に進む。
【００６２】
Ｓ５３３では、システム制御部５０は、レンズ装置４００が広角レンズであるかどうかを判定する。レンズ装置４００が広角レンズである場合は、システム制御部５０は、意外性のある画像を得るために（被写界深度を大きく変化させるために）、絞り値の変化量を標準の変化量よりも大きく設定する（Ｓ５３４）。これにより、背景のぼけ具合を明確に変化させた画像を撮影することができる。一方、レンズ装置４００が他のレンズである場合は、絞り値の変化量を標準の変化量に設定する（Ｓ５３５）。
【００６３】
従来は、レンズ装置４００の種類に拘らず、Ｓ５３５にあるように、絞り値の変化量を標準の変化量に固定していた。しかしながら、これでは、マクロレンズや広角レンズが装着された場合に所定の画質が維持されなかったり、意外性のある画像が得られなかったりするおそれがある。そこで、本実施形態は、レンズ装置４００の種類に応じて絞り値の変化量を変更することによって、かかる問題を解決している。具体的には、撮影条件が絞り値である場合、システム制御部５０は、レンズ装置４００がマクロレンズである場合の撮影条件の変化量を、レンズ装置４００が広角レンズである場合の撮影条件の変化量よりも小さく設定する。
【００６４】
本実施形態は、１種類のブラケット撮影を設定することによって、画像を記憶する容量を確保すると共にブラケット撮影が完了するまでの時間を短くしている。
【００６５】
図６は、図３に示すＳ３０３の詳細を説明するためのフローチャートである。
【００６６】
まず、Ｓ６００において、システム制御部５０は、メモリ３２に格納されているレンズ装置４００の特性情報を読み出す。
【００６７】
次に、Ｓ６０１において、システム制御部５０は、Ｓ６００で読み出したレンズ装置４００の特性情報に応じて、撮影した画像に付加する効果フィルタを設定する。例えば、装着されているレンズがティルト・シフトレンズ（あおりレンズ）である場合は、歪効果以外の効果を与えるフィルタを設定する。これにより、ティルト・シフトレンズを使用して歪を除去した被写体をフィルタにより歪ませてしまうことを防止できる。また、広角レンズが装着された場合はジオラマ効果フィルタを設定してもよい。
【００６８】
次に、Ｓ６０２において、システム制御部５０は、読み出したレンズ装置４００の特性情報に応じて、画像の切り出しを行って画像のアスペクトやサイズを変更する画像切り出し設定を行う。例えば、レンズ装置４００が魚眼レンズである場合、撮影画像の周辺が大きく歪んでいるため、中心を含む所定の範囲が含まれるように画像切り出し設定を行う。
【００６９】
最後に、Ｓ６０３において、システム制御部５０は、効果フィルタ設定を有効にして画像処理を行った画像データと、効果フィルタ設定を無効にして画像処理を行った画像データとを生成する。そして、システム制御部５０は、生成したそれぞれの画像データに対して、画像切り出し設定を有効にして画像処理を行った画像データと、画像切り出し設定を無効にして画像処理を行った画像データとを生成し、メモリ３２に格納する。これにより、Ｓ３０２で得られた各画像に対して、効果フィルタ処理のみが行われた画像、画像切り出し処理のみが行われた画像、効果フィルタ処理と画像切り出し処理の両方が行われた画像、オリジナル画像の計４種類の画像を得ることができる。
【００７０】
本実施形態によれば、レンズ装置４００の特性情報に応じて撮影条件の変化量と画像処理条件のそれぞれを変化させて、一度の撮影指示で複数の画像を生成する。なお、システム制御部５０は、レンズ装置４００の特性情報に応じて撮影条件を設定してもよい。これにより、ユーザのレンズ選択意図に応じたブラケット撮影を行うことができる。
【００７１】
本発明は、レンズ装置４００の特性情報に基づいて撮影条件（の種類）を設定してもよい。この場合、システム制御部５０は、レンズ装置４００の特性情報に基づいて、撮影条件を設定する撮影条件設定手段として機能する。例えば、レンズ装置４００が電動ズームレンズである場合、システム制御部５０は、撮影条件としてズーム位置の変化量を変更するズームブラケットを設定してもよい。ズーム位置の変化量は、現在の焦点距離や被写体距離等に応じて決定される設定値であってもよい。
【００７２】
本実施形態によれば、レンズ装置の特性情報に基づいて撮影条件及び画像処理条件を変更することによって、一度の撮影指示で所定の画質を維持しつつ意外性のある複数の画像を提供することができる。
【００７３】
また、本発明は、レンズ装置が着脱可能な撮像装置において実行され、一度の撮影指示で撮影条件を変化させながら複数の画像を生成する撮像方法にも適用可能である。かかる撮影方法は、レンズ装置の特性を示す情報を取得するステップと、該ステップにより取得された情報に基づいて、撮影条件の変化量を設定するステップと、を有する。あるいは、レンズ装置の特性を示す情報を取得するステップと、該ステップにより取得された情報に基づいて、撮影条件を設定するステップと、を有してもよい。
【００７４】
以上、本発明の実施形態について説明したが、本発明はその要旨の範囲内で種々の変形及び変更が可能である。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【産業上の利用可能性】
【００７５】
本発明は、レンズ装置が装着可能な撮像装置、撮像方法、レンズ装置と撮像装置からなる撮像システムの用途に適用することができる。
【符号の説明】
【００７６】
５０…システム制御部（取得手段、変化量設定手段、撮影条件設定手段、画像処理条件設定手段）、１００…デジタルカメラ（撮像装置）、４００…レンズ装置
【図１】
0006602093.tif 000002
【図２】
0006602093.tif 000003
【図３】
0006602093.tif 000004
【図４】
0006602093.tif 000005
【図５】
0006602093.tif 000006
【図６】
0006602093.tif 000007